(57)【要約】【課題】ディスク装置の引き出しトレーが引き出された状態でも破損の恐れがなく、かつ、多様な設置環境に設置可能な情報再生装置を提供する。【解決手段】出し入れ可能なトレー３１を介して記録ディスクを装置内に取り込んで情報の再生を行う情報再生装置であって、出し入れ可能なトレー３１を備えたディスク記録再生装置の前部に、前方に傾斜する傾斜面１０２を形成し、この傾斜面１０２に、閉鎖時は前記傾斜面１０２を構成し、開放時は後方部を内部に引き下げて前記トレー３１の移動路を形成する開閉ドア１０３を備える。【選択図】図１
2007095174.tif 000002
【特許請求の範囲】
【請求項１】
出し入れ可能なトレーを介して記録ディスクを装置内に取り込んで情報の再生を行う情報再生装置において、
出し入れ可能なトレーを備えた再生ディスク装置の前部に、前方に傾斜する傾斜面を形成し、この傾斜面に、閉鎖時は前記傾斜面を構成し、開放時は後方部を内部に引き下げて前記トレーの移動路を形成する開閉ドアを備えた
ことを特徴とする情報再生装置。
【請求項２】
筐体の前面上部に、後方に向かって立ち上がる傾斜面を形成し、この傾斜面の後方に出し入れ可能なトレーを備えた再生ディスク装置を配置し、
前記傾斜面に、閉鎖時は前記傾斜面を構成し、開放時は後方部を内部に引き下げて前記トレーの移動路を形成する開閉ドアを備えた
ことを特徴とする情報再生装置。
【請求項３】
前記請求項１または２記載の情報再生装置において、
前記トレーに移動路は、前記開閉ドアの上方に形成されていることを特徴とする情報再生装置。
【請求項４】
請求項３記載の情報再生装置において、
前記トレーに移動路は、前記開閉ドアの投影面積内であることを特徴とする情報再生装置。
【発明の詳細な説明】
【技術分野】
【０００１】
本発明は、トレーにセットされたディスクを開口部から出し入れして、挿入されたディスクに各種の情報を記録したり、あるいはディスクに記録された各種の情報を読み出すことが可能な情報再生装置に関するものである。
【背景技術】
【０００２】
近年、ＣＤやＤＶＤなどの記録ディスクが大容量化されたため、これら記録ディスクに音楽情報や映像情報、更には、各種のプログラムやデータを格納したり、あるいは再生したりすることが一般化されている。
【０００３】
これら記録ディスクを再生するディスク再生装置は、ユニット化され、このユニットを映像再生装置やパソコンの筐体に組み込むことで、大容量の記録再生装置を各種装置に簡単に取り付けることができる。
【０００４】
一般に、これらユニット化されたディスク再生装置は、箱型の筐体の前面にモータ駆動で出し入れ可能なトレーを備え、このトレーにＤＶＤやＣＤをセットして筐体内に取り込んで、記録や再生を行う構造を備えている。
【０００５】
そして、前記ディスク再生装置は、箱型の筐体を備えた各種装置に組み込まれている。例えば、ＤＶＤプレーヤは、その本体を高さの薄い扁平な箱型の形状とし、この本体の前面にディスク挿入口を含めた媒体口や操作スイッチ類及び表示装置を集中配置し、背面側には各種の装置と接続するための端子部を備えた構造が一般的である。これらの構造は、パソコンの本体などでも見られて典型的な構造である。この構造は、ＤＶＤプレーヤなどが、テレビラックや机の下など設置されたり、あるいは他の同種の形態を備えた装置とともに積層配置されることに起因している。
【０００６】
【特許文献１】特開２００５−１９０５８０号公報
【０００７】
【特許文献２】特開２００２−３１１５１２号公報
【発明の開示】
【発明が解決しようとする課題】
【０００８】
前記従来技術によれば、箱型の装置筐体からトレーが飛び出す構造であるため、誤って、このトレーを破損する課題がある。従来のＤＶＤプレーヤやＣＤプレーヤは他のシステム機器とともにテレビラックやオーディオラックに積層配置されるため、破損に対する課題はさほど大きな課題ではなかった。しかし、近年のＤＶＤプレーヤは、システム的に単独での設置が主流となっているため多様な設置が可能であり、設置環境によっては前記破損の課題が大きく成っている。
【０００９】
前記課題を解決するために、前記特許文献２に示す写真処理装置などでは、引き出されたトレーを保護する保護部材を備えたものがある。しかし、この従来技術は、作業テーブルの下の奥に記録再生装置を設置する構造においては有効であるが、ＤＶＤプレーヤやパソコンの本体においては、前記保護部材が邪魔となってしまう。
【００１０】
そこで、この発明の目的とするころは、ディスク装置の引き出しトレーが引き出された状態でも破損の恐れがなく、かつ、多様な設置環境に設置可能な情報再生装置を提供することにある。
【課題を解決するための手段】
【００１１】
前記目的を達成するために、本発明に係る情報再生装置では、出し入れ可能なトレーを介して記録ディスクを装置内に取り込んで情報の再生を行う情報再生装置において、出し入れ可能なトレーを備えた再生ディスク装置の前部に、前方に傾斜する傾斜面を形成し、この傾斜面に、閉鎖時は前記傾斜面を構成し、開放時は後方部を内部に引き下げて前記トレーの移動路を形成する開閉ドアを備えるようにする。
【発明の効果】
【００１２】
本発明によれば、ディスク装置の引き出しトレーが引き出された状態でも破損の恐れがなく、かつ、多様な設置環境に設置可能となる。
【発明を実施するための最良の形態】
【００１３】
以下、図１から図１７を参照して、この発明に係る情報再生装置の一実施例であるＤＶＤレコーダについて具体的に説明する。なお、同一の部位や方向などは同一符号を持って示し、重複した説明を省略する。
【００１４】
先ず、図１を参照して、この実施の形態に係るＤＶＤレコーダの概略構造を説明する。図１は、ＤＶＤレコーダの外観図であり、（ａ）図がトレーを引き出した状態の外観斜視図、（ｂ）図がトレーを収納した状態の外観図を示している。
【００１５】
図１において、この実施の形態に係るＤＶＤレコーダは、その内部に、トレー３１を備えたＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｃ）などのディスク記録再生装置や、ＨＤＤ（Ｈａｒｄ  Ｄｉｓｋ  Ｄｒｉｖｅ）などの内部記録再生装置や、各種の記録媒体の記録再生を行うサブ記録再生装置を備えている。
【００１６】
このＤＶＤレコーダは、高さ方向の寸法Ｈ０より奥行き方向の寸法Ｄ０が大きく、この奥行き方向の寸法Ｄ０より横幅方向の寸法Ｗ０が大きい、薄型偏平な筐体１００を備えている。この筐体１００は、筐体上面１０１の後方部が水平面を成すようにフラットに形成され、その前面となる筐体上面１０１の前部は、前傾斜の傾斜面１０２で構成される。
【００１７】
傾斜面１０２は左右方向に３分割される。中央部分には、ＤＶＤを出し入れする際に開閉する第１開閉ドア１０３が配置される。一方の片側は、前後に３分割され、その前部に第１操作パネル１０４、中央に第１表示パネル１０５、後方にサブ記録再生装置用の第２開閉ドア１０６が配置されている。また、他方の片側も前後に３分割され、その前部に第２操作パネル１０７、中央に第２表示パネル１０８、後方にサブ外部端子基板用の第３開閉ドア１０９が配置される。
【００１８】
この実施の形態では、傾斜面１０２と対向する筐体１００の底面に、前方に向かって立ち上がる下部傾斜面１１３を形成している。このため、この筐体１００は、その前部が前方に向かって尖った側面形状を備えた特徴的な形態を備えている。
【００１９】
そして、この実施の形態に係るＤＶＤレコーダの大きな特徴の１つは、筐体１００の前部を前下がりの傾斜面で形成し、この傾斜面１０２に、各種媒体の出入口や操作部あるいは表示部などの使用者が操作する機能部分を集中配置した点にある。従来の同種装置においては、箱型の前面に機能部分を集中配置したものが一般的である。しかし、この構造を取ると、テレビラックなどに設置した場合には他の機器と積層配置できるので有効であるが、設置場所が床面に近い位置となるため、最近の主流を成す椅子の生活では、表示装置の視認性や操作装置の操作性が悪くなる課題があった。
【００２０】
この実施の形態では、使用者が操作したり見たりする機能部分を従来の垂直面から上部の傾斜面１０２に集中配置することで、目線や姿勢が高い椅子の生活にあった形態とすることができる。しかも、この上部の傾斜面１０２は、筐体１００の前部に設けられているために、ラックなどに収納しても、操作性や視認性を向上させることができる。
【００２１】
また、操作性や視認性が良好な機能部分を垂直面に配置すると、この機能部分を配置する垂直面が大きくなることとなる。この種の装置は横幅がある程度規定されているので、垂直面を大きくすることは、高さ方向を大きくしなければ成らず、内部機構を小型にしても薄型化ができにくい課題がある。
【００２２】
しかし、この実施の形態では、従来の機能部分を集中配置する垂直面を後方に傾斜した傾斜面とすることにより、垂直面に比べて幅広くすることができるので、薄型化を実現しやすくすることができる。
【００２３】
この実施の形態では、上部の傾斜面１０２の傾斜角度θを２０度前後に設定している。
【００２４】
そして、この実施の形態の最も大きな特徴は、上部の傾斜面１０２にディスク記録再生装置のディスク出入口１１１を配置した点にある。このディスク出入口１１１は、前記上部の傾斜面１０２を構成する第１開閉ドア１０３を筐体１００の内部に引き込むことによって開放される。具体的には、前部より高い位置にある第１開閉ドア１０３の後部を内部に引き込むことにより筐体上面１０１と第１開閉ドア１０３との間に隙間を形成し、この隙間をトレー３１を引き出すためのディスク出入口１１１とすることができる。
【００２５】
この構造によれば、ディスク出入口１１１に出し入れされるトレー３１は、第１開閉ドア１０３の上部を移動することとなる。このため、トレー３１は、第１開閉ドア１０３によって、このトレー３１の移動路が確保されるから、引き出された状態での破損の可能性を軽減することができる。特に、この実施の形態では、トレー３１の移動路を前記第１開閉ドア１０３の投影面積内に収めることによって、トレー３１の引き出された際の破損の課題をいっそう軽減することができる。
【００２６】
また、この実施の形態の特徴の他の一つは、筐体１００の底面前部を構成する下部傾斜面１１３を前方に向かって立ち上がる傾斜面とした点にある。従来のこの種の装置においては、前記したように、薄型化を実現するために、筐体前面を構成する垂直面に機能部分を集中配置しているため、内部装置を冷却するための吸気口を前面に十分に設けることができない。このため、筐体１００の側面に設けた吸気口から空気を取り込んで、背面に設けた排気口から排気する屈曲した冷却通路となっているため、良好な冷却通路を形成することができない課題がある。
【００２７】
この実施の形態では、広い開口率が得られる下部傾斜面１１３に吸気口１１２を形成することで、薄型化に影響させることなく、前方から空気を沢山取り込んで、内部装置を冷却して後方より排気する、直線的な冷却通路を形成することができるので、冷却効率を向上させることができる。
【００２８】
以下、図２から図１７を参照して、この実施の形態に係るＤＶＤレコーダを更に詳細に説明する。ここで、図２は内部装置の配置図、図３は外観図、図４と図５は冷気通路の説明図、図６から図１０は開閉ドア駆動装置の説明図、図１１と図１２は第２、第３開閉ドアの説明図、図１３から図１７は設置状態の説明図を示している。
【００２９】
先ず、図２を参照して、ＤＶＤレコーダの内部装置の配置を説明する。図２は、ＤＶＤレコーダの内部装置の配置を示す透視図である。
【００３０】
図２において、この実施の形態では、筐体１００の最下部にメイン基板１０を配置し、このメイン基板１０をベースに以下の内部装置を配置している。即ち、メイン基板１０の前方には、段差を持って一部重ねて配置される操作基板２０が配置される。この操作基板２０は、メイン基板１０より高い位置に配置され、その後方をメイン基板１０と重ねて配置し、その前部は前方へ突出して配置される。この実施の形態では、この２段構成の基板の配置により、筐体１００の前部に対向して配置される、前下がりの上部の傾斜面１０２と、前方に向かって立ち上がる下部傾斜面１１３とを形成し、前方に向かって先つぼみの独特な外観形状を形成している。
【００３１】
この実施の形態では、操作基板２０を左右に３分割される第１操作基板２０ａと第２操作基板２０ｂと第３操作基板２０ｃとから構成している。
【００３２】
第１操作基板２０ａは、一方の片側に配置され、その前部に第１操作部２２ａ、中央に第１表示部２１ａ、後方にサブ記憶装置取付板１３を配置している。ここで、第１操作部２２ａが第１操作パネル１０４に、第１表示部２１ａが第１表示パネル１０５にそれぞれ対応して配置される。また、第１表示部２１ａとサブ記憶装置取付板１３とは離して配置され、この２つの部材を離した空間を利用して形成される第１凹部１１４をサブ記憶装置取付板１３に記録媒体を挿入する作業空間としている。
【００３３】
この実施の形態では、サブ記憶装置取付板１３に、方式の異なる記録媒体の読み書きや読み取りが可能な第１サブ記録再生装置４１ａと第２サブ記録再生装置４１ｂとから構成されるサブ記録再生装置４１を備えている。第１凹部１１４は、サブ記録再生装置４１の複数の記録媒体投入口に記録媒体を投入するための作業空間となる。そして、この第１凹部１１４は、前記第２開閉ドア１０６によって、その上部が覆われるように形成される。
【００３４】
一方、第２操作基板２０ｂは、他方の片側に配置され、第１操作基板２０ａと同様な構造を備えて配置される。即ち、第２操作基板２０ｂは、その前部に第２操作部２２ｂ、中央に第２表示部２１ｂ、後方にサブ外部端子基板１４を配置している。ここで、第２操作基板２０ｂが第２操作パネル１０７に、第２表示部２１ｂが第２表示パネル１０８にそれぞれ対応して配置される。また、第２表示部２１ｂとサブ外部端子基板１４とは離して配置され、この２つの部材を離した空間を利用して形成される第２凹部１１５をサブ外部端子基板１４にコネクタを取り付けるための端子収納空間としている。
【００３５】
この実施の形態では、サブ外部端子基板１４に、オーディオや映像端子などからなる複数のサブ外部端子部１４ａを備えている。第２凹部１１５は、サブ外部端子基板１４の複数のサブ外部端子部１４ａにコネクタを取り付けるための作業空間とし、あるいは取り付けられるコネクタを収納するための収納空間となる。そして、この第２凹部１１５は、前記第３開閉ドア１０９によって、その上部が覆われるように形成される。
【００３６】
また、第３操作基板２０ｃは、第１操作基板２０ａと第２操作基板２０ｂとの間に配置され、その上面に駆動モータ６１を備えた開閉ドア駆動装置６０が配置される。この開閉ドア駆動装置６０には、第１開閉ドア１０３が出没可能に取り付けられている。
【００３７】
この第３操作基板２０ｃの後方にはディスク記録再生装置３０が配置され、開閉ドア駆動装置６０を介して、第１開閉ドア１０３の後部が下方に押し下げられると、この動作に伴って開放される段差（ディスク出入口１１１）が形成され、このディスク出入口１１１を介してディスク記録再生装置３０のトレー３１を出し入れすることができる。
【００３８】
この実施の形態では、メイン基板１０の前部に操作基板２０を一部ラップさせて配置し、メイン基板１０の後部には縦姿勢のメイン外部端子基板１１を配置している。そして、メイン外部端子基板１１と操作基板２０との間の実装空間に複数の記憶再生装置や電源部１２を配置している。この実施の形態では、前記実装空間の奥行を、この実装空間に配置される装置の中で最も大きな装置、即ち、ディスク記録再生装置３０の奥行き寸法に設定している。
【００３９】
また、この実施の形態では、前記実装空間の内部実装効率を向上するために、中央に配置したディスク記録再生装置３０の両側に、このディスク記録再生装置３０より奥行き寸法が小さい第１内部記録再生装置４０ａと第２内部記録再生装置４０ｂとを分けて配置している。ここで、サブ記憶装置取付板１３の後方に配置される第１内部記録再生装置４０ａは、このサブ記憶装置取付板１３に取り付けられる奥行き寸法が必要なサブ記録再生装置４１を考慮して後方にずらして配置している。
【００４０】
一方、サブ外部端子基板１４の後方に配置される第２内部記録再生装置４０ｂは、このサブ外部端子基板１４に取り付けられるサブ外部端子部１４ａの奥行き寸法がさほど必要としないので、サブ外部端子基板１４に近接して配置される。そして、この実施の形態では、サブ外部端子基板１４と第２内部記録再生装置４０ｂとの近接配置に伴って形成される第２内部記録再生装置４０ｂの後方の空間を利用して電源部１２と送風ファン５０を配置している。
【００４１】
なお、この実施の形態では、第１内部記録再生装置４０ａと第２内部記録再生装置４０ｂとを同じ大きさのディスクを利用した同じ筐体寸法の内部記録再生装置４０としているが、大きな電源を必要とする電源部１２を配置する場合は、第２内部記録再生装置４０ｂを第１内部記録再生装置４０ａより小さいサイズのものにする。
【００４２】
このように、この実施の形態では、従来例では、縦姿勢で配置される操作基板２０を、筐体１００の筐体上面１０１の前部とメイン基板１０との間の位置に横姿勢で配置することにより、操作基板２０の上部に、前方から後方に向かって広がる略直角三角形状の断面を備えた内部実装空間を形成することができる。
【００４３】
この実施の形態では、この直角三角形状の断面を備えた内部実装空間を効率よく利用して、最も狭い前部には操作部２２を配置し、最も広い空間を備えた後部にはサブ記録再生装置４１やサブ外部端子部１４ａを接続したり収納したりする作業／収納空間を形成し、中央の空間には表示部２１を配置している。
【００４４】
そして、何より特徴的なのは、直角三角形状の断面を備えた内部実装空間を利用してトレー３１の移動路を形成した点である。この実施の形態では、第１開閉ドア１０３が、直角三角形状の内部実装空間の斜め辺を構成する位置から、水平の辺を構成する位置へ動作する。このため、第１開閉ドア１０３が斜め位置から水平位置に移動することによって開放する垂直な辺の高さ寸法の隙間をディスク出入口１１１とすることができる。
【００４５】
この実施の形態では、このディスク出入口１１１の後方にディスク記録再生装置３０を配置することで、トレー３１をディスク出入口１１１から出し入れさせることができる。この際、トレー３１は、第１開閉ドア１０３の上方を移動することとなるが、この第１開閉ドア１０３の上部は両側を張り出し部で形成された凹状であるため、トレー３１を外部から保護することができる。しかも、第１開閉ドア１０３の両側の張り出し部は、後方から前方に向かって低く形成されているため、トレー３１を引き出した状態でのディスクの装着に支障をきたすことを軽減することができる。
【００４６】
また、メイン基板１０と操作基板２０を一部ラップさせて配置することにより、奥行き寸法を小さくしたり、あるいは、配線効率を向上させる効果が期待できる。更に、後で説明するように、冷却効率を向上させることもできる。
【００４７】
また、この実施の形態では、操作基板２０の水平配置に伴って、その後方の内部実装空間を、各装置の大きさの違いを考慮して配置することにより、内部実装効率を向上させるとともに、冷却効率をも向上させることができる。
【００４８】
なお、この実施の形態では、操作基板２０を複数の基板に分けることで説明したが、これに限定されるものではない。また、この実施の形態ではディスク記録再生装置３０を中央に配置して、左右略対称な配置構成としているが、これに限定されるものではなく、ディスク記録再生装置３０を一方の片側に配置するようにしてもよい。
【００４９】
次に、図３を参照して、このＤＶＤレコーダの外観形状を説明する。図３はＤＶＤレコーダの外観図であり、（ａ）図は平面図、（ｂ）図は右側面図、（ｃ）図は正面図、（ｄ）図は肥大側面図、（ｅ）図は背面図である。なお、両側面図は紙面の関係で縦姿勢で図示している。
【００５０】
図３において、この実施の形態では、高さ寸法の小さい薄型の筐体１００の前部が、側面から見て、先の尖った形状としている。前方に傾斜した上部の傾斜面１０２の中央に第１開閉ドア１０３が配置され、この第１開閉ドア１０３の奥行き寸法に合わせるように一方の片側に、第１操作パネル１０４と第１表示パネル１０５と第２開閉ドア１０６が配置され、他方の片側に第２操作パネル１０７と第２表示パネル１０８と第３開閉ドア１０９が配置される。また、第１操作パネル１０４と第２操作パネル１０７とが、第１表示パネル１０５と第２表示パネル１０８とが、第２開閉ドア１０６と第３開閉ドア１０９とが、左右に連続するように、奥行き寸法が同じ大きさでそれぞれ形成される。
【００５１】
そして、この実施の形態では、第１表示パネル１０５と第２表示パネル１０８とを暗調子の透明部材で形成することで、内部に配置される表示部２１の視認性を高めるとともに、第１開閉ドア１０３の中央に両側の第１表示パネル１０５と第２表示パネル１０８とを連続させる暗調子の透明部材１１８を設けることにより、複数の帯部が左右方向に抜けるシンプルな形態を実現して意匠性を高めている。
【００５２】
また、この実施の形態では、先の尖った先端部に前方から押下する複数のスイッチから構成される操作部２２を配置している。操作部２２は、左右に分かれており、一方の片側に配置される第１操作部２２ａには、例えばＤＶＤの録画再生スイッチ類を配置し、他方の片側に配置される第２操作部２２ｂには、例えばチューナや各種切り替えスイッチ類を配置することで、使い勝手を向上させている。この実施の形態のＤＶＤレコーダは、基本的な操作は別体のリモコンで操作される。したがって、前記操作部２２は、リモコンがない場合や直接操作したい場合に操作する。このため、ディスクの出し入れの際に、誤操作をしないように、先の尖った部分に小さく設けられ、通常は筐体に馴染んだ形状であり、操作する際は押し込むようなスイッチ形状と成っている。
【００５３】
しかし、使用頻度が少ないからといって操作しづらい操作部２２であってはならない。そこで、この実施の形態では、筐体の底面前部を上方に立ち上げた下部傾斜面１１３として、操作部２２の配置面を上方の位置とし、しかも先の尖った先端部に配置することで、誤操作を軽減しながらしかも操作性を向上させている。
【００５４】
また、この実施の形態では、第１表示部２１ａもまた左右に分かれて配置される。この構造によれば、一方の第１表示部２１ａに、例えば、録画時間や時計表示等の主たる状態表示を行い、他方の第２表示部２１ｂには例えばインフォメーション情報を表示させることにより、表示内容を分かりやすくすることができる。
【００５５】
また、この実施の形態では、外部接続端子を２箇所に分けて配置している。常に接続状態とするものは、背面に設けたメイン外部接続端子部１１ａに接続し、臨時的に接続する場合は、第３開閉ドア１０９内に設けたサブ外部端子部１４ａを使うことができる。
【００５６】
また、筐体１００の背面には、排気口１１６が設けてあり、前記下部傾斜面１１３に設けた吸気口１１２から取り込んだ空気を送風ファン５０を介して強制的に排出することができる。なお、１１７は筐体１００の底面に設けた脚部である。
【００５７】
次に、図４、図５を参照して、内部冷却構造を説明する。図４は冷却通路を示す内部透視図である。図５は冷却構造の説明図であり、（ａ）図がＤＶＤレコーダの下方斜視図、（ｂ）図が冷却通路を示す縦断面図である。
【００５８】
図４、図５において、この実施の形態の冷却通路は、送風ファン５０を介して、下部傾斜面１１３に設けた吸気口１１２から強制的に空気を取り込んで、内部装置を冷却させ、その排気を排気口１１６から排出する構造を備えている。図５（ｂ）図に示すように、この実施の形態では、メイン基板１０と操作基板２０とを上下にずらして配置しているので、吸気口１１２から取り込んだ空気をメイン基板１０と操作基板２０との間を通して循環させることができる。また、メイン基板１０と操作基板２０は複数の通風穴１５が適宜配置されているので、この通風穴１５を介して、操作基板２０の上部やメイン基板１０の下部を冷却することができる。
【００５９】
図４に示すように、この実施の形態に係るＤＶＤレコーダにおいては、送風ファン５０を介して吸気口１１２から筐体内に取り込まれた空気は、例えば、第１操作基板２０ａやサブ記録再生装置４１や第１内部記録再生装置４０ａあるいはそれら周辺のメイン基板１０を冷却して、また、第３操作基板２０ｃやディスク記録再生装置３０あるいはそれら周辺のメイン基板１０を冷却して、また、第２操作基板２０ｂやサブ外部端子部１４ａや第２内部記録再生装置４０ｂあるいはそれら周辺のメイン基板１０を冷却して、最も発熱量の大きな電源部１２の周辺に集められる。そして、電源部１２の周辺に集めらた空気を送風ファン５０の力で強制的に外部に排出することができる。
【００６０】
このように、この実施の形態では、冷気通路を筐体１００の前面から背面にかけて直線的に形成することで冷却効率を高めることができる。しかも、吸気口１１２は使用者から見え難い下部傾斜面１１３に大きく形成することができるので、開口率向上や意匠性も有利である。また、この直線的な冷却通路によれば、使用者から見えやすい両側面や上面に吸気口１１２を形成する必要が無いので、意匠性が向上する。また、このＤＶＤレコーダを上下に積層配置しても、この冷却構造であれば、冷却通路が塞がれる心配がないので、多様な設置環境に対応することができる。
【００６１】
次に、図６から図１０を参照して、開閉ドア駆動装置６０を詳細に説明する。図６は、トレーの移動路を示めす概略断面図である。図７は、開閉ドア駆動装置の概略構造図であり、（ａ）図がディスク出入口を閉鎖した状態の概略断面図、（ｂ）図がディスク出入口を開放した状態の概略断面図である。図８は開閉ドア駆動装置の動作工程を示す工程図であり、（ａ）図が第１開閉ドアを閉鎖した状態の断面図、（ｂ）図が第１開閉ドアを開放した状態の断面図、（ｃ）図がトレーを引き出した状態の断面図である。図９はトレーを引き出す動作フロー図である。図１０はトレーを収納する動作フロー図である。
【００６２】
図６において、この実施の形態では、メイン基板１０上にディスク記録再生装置３０が配置され、メイン基板１０の前方の高い位置に開閉ドア駆動装置６０と開センサ６２を備えた第３操作基板２０ｃが配置される。ディスク記録再生装置３０は図示しない駆動装置を介して第３操作基板２０ｃの上方の位置に出し入れ可能なトレー３１を備えている。
【００６３】
図７に示すように、この実施の形態では、第１開閉ドア１０３の前部先端部の内側に回転軸支持部６５が突出して形成される。この回転支持部６５の先端部に回転軸Ｐが形成され、この回転軸Ｐが第２操作部２２ｂに設けられる開閉ドア駆動装置６０に回転可能に取り付けられる。開閉ドア駆動装置６０は、前記回転軸Ｐに取り付けられる半円形状の歯車６６と、駆動モータ６１と、駆動モータ６１の回転軸に取り付けられる歯車６７と前記半円形状の歯車６６とを機械的に連結する変速部６４（歯車）とで構成される。
【００６４】
（ａ）図は第１開閉ドア１０３を閉めた状態を示している。この（ａ）図の状態から、駆動モータ６１を矢印方向に回転させることにより、その回転力が変速部６４を介して半円形状の歯車６６に伝達され、半円形状の歯車６６が矢印方向に回転することにより、この半円形状の歯車６６と連結される回転軸支持部６５が回転軸Ｐを中心に回転することで、第１開閉ドア１０３の後方を下方に引き込んで（ｂ）図の状態とすることができる。ここで、第１開閉ドア１０３を閉める動作は、駆動モータ６１を逆回転することで達成される。
【００６５】
図６に戻り、この実施の形態では、第１開閉ドア１０３は奥行き方向にＬ２の長さを備え、この第１開閉ドア１０３が開いた状態では、第１開閉ドア１０３を第３操作基板２０ｃと略平行な姿勢とすることができる。そして、この第１開閉ドア１０３を開いた状態では、この第１開閉ドア１０３の上面が筐体１００の筐体上面１０１よりＳ１の高さだけ低い位置となる。このため、この第１開閉ドア１０３を開いた状態では、第１開閉ドア１０３の後端部が下方に引き下げられることによって開放される開口部１１９の後端部１１９ａと第１開閉ドア１０３の上面との間にＳ２の高さの隙間１１１ａを有するディスク出入口１１１が開放される。この隙間１１１ａのＳ２の高さはトレーの厚さＳ３より大きく設定されている。したがって、ディスク出入口１１１を開放することにより、この隙間１１１ａを介してトレー３１を第１開閉ドア１０３の上方の位置で出し入れすることができる。
【００６６】
また、この実施の形態では、トレー３１は、ディスク記録再生装置３０からＬ１の長さだけ引き出すことができ、引き出された状態では、その先端部が第１開閉ドア１０３の投影面積内に収まるように設定される。しかも、トレー３１は、その上面にＬ３の長さを備えたディスク設置部３１ａを備えているが、このディスク設置部３１ａの少なくとも前半部（Ｌ３の半分の長さＬ４）は開口部１１９から露出するように設定している。
【００６７】
この構造によれば、トレー３１を引き出した状態では、ディスク設置部３１ａの少なくとも前半部、即ち、ＤＶＤやＣＤなどの半分以上が開口部１１９から露出することになるので、ＤＶＤやＣＤなどの出し入れが容易となる。
【００６８】
なお、この実施の形態では、トレー３１の移動路は開閉ドア１０３の投影面積内に収めるように設定されるが、トレー３１の先端部を開閉ドア１０３の先端部より前方に多少はみだしても全体的に開閉ドア１０３の上部にトレーが収まっていれば同様な効果を得ることができる。
【００６９】
次に、図９、図１０の動作フロー図を参照しながら図８に基づいてトレー３１の出し入れの制御を説明する。この実施の形態では、メイン基板１０に取り付けられる図示しないマイコンがＤＶＤレコーダを統括的に制御する。また、ディスク記録再生装置３０は、それ自身で完結した装置であるため、この装置内に設けられる図示しないマイコンがトレー３１の駆動部や記録再生機構の動作制御を行う。したがって、このＤＶＤレコーダのマイコンはディスク記録再生装置３０のマイコンに対して制御信号を発することで、統括下においている。なお、ここでマイコンとは、特に指示がない限りメイン基板１０に取り付けられるマイコンを示している。
【００７０】
先ず、図８と図９を参照してトレー３１の引き出す際の制御動作を説明する。この実施の形態では、マイコンは操作部２２に設けられる図示しない開閉ボタンが押下されるか否かを監視している。マイコンは、開閉ボタンが押下されると(ステップ２００)、駆動モータ６１を動作させ、図８の（ａ）図の状態から、開センサ６２から信号が発信される（ｂ）図の状態まで駆動モータを回転させる(ステップ２１０)。開センサ６２は第１開閉ドア１０３の後端部が、（ｂ）図に示すように、この開センサ６２に触れることで信号を発信する。マイコンは、開センサ６２からの信号を受けると駆動モータ６１を停止状態とするとともに、ディスク記録再生装置３０のマイコンに対してトレー３１の引き出し操作を指示する信号を発信する（ステップ２２０）。ディスク記録再生装置３０のマイコンは、前記動作信号を受けるとトレー３１を前方へ引き出す動作を行い、（ｃ）図に示すように、トレー３１の引き出し動作が完了すると、その完了したことをマイコンに対して通知する（ステップ２３０）。
【００７１】
次に、トレー３１を収納する動作を図８、図１０を参照して説明する。マイコンは、図８の（ｃ）の状態で、開閉ボタンが押下されることを監視している(ステップ２４０)。マイコンは開閉ボタンが押下されると、トレー３１を収納する旨の信号をディスク記録再生装置３０のマイコンに通知する。ディスク記録再生装置３０のマイコンは、前記通知を受けるとトレー３１の収納動作を行い(ステップ２５０)、トレー３１が収納されて（ｃ）図の状態から（ｂ）図の状態になると、トレー３１の収納動作が完了したことをマイコンに通知する(ステップ２６０)。マイコンは、ディスク記録再生装置３０のマイコンから完了通知を受けると、駆動モータ６１を逆回転させる（ステップ２７０）。そして、開口部１１９の近傍に設けた図示しない閉センサ６３からの信号を受けると駆動モータ６１を停止させる(ステップ２８０)。
【００７２】
この実施の形態では、開センサ６２と閉センサ６３を設けることで、第１開閉ドア１０３の開閉を検知するようにしているが、これに限定されるものではない。例えば、駆動モータ６１の負荷電流を検知して、開閉状態を検知するようにしても良い。
【００７３】
また、この実施の形態では、駆動モータ６１を用いた開閉ドア駆動装置６０で説明しているが、この構造に限定されるものではない。
【００７４】
更に、ディスク記録再生装置３０のマイコンは、トレー３１の出し入れ時にトレー３１の動作を阻害する要因をトレー３１の駆動装置から検知すると、動作開始時の位置までトレー３１を戻す動作を行い、その内容をメイン基板１０に設けたマイコンに通知する。これによって、開閉ドア１０３やトレー３１の動作時の障害を軽減することができる。
【００７５】
次に、図１１を参照して、サブ記録再生装置４１の近傍の構造を説明する。図１１はサブ記録再生装置４１の近傍の外観図であり、（ａ）図が第２開閉ドア１０６を閉めた状態の外観図、（ｂ）図が第２開閉ドア１０６を開いた状態の外観図である。
【００７６】
この実施の形態では、第２開閉ドア１０６の内側に第１凹部１１４を形成し、この第１凹部１１４の後方の壁面に第１サブ記録再生装置４１ａと第２サブ記録再生装置４１ｂの媒体投入口を設けている。また、第２開閉ドア１０６は後方を回転軸として、その前方を開放することができる。したがって、（ｂ）図に示す第２開閉ドア１０６を開いた状態では、前記媒体投入口に記録媒体を出し入れすることができる。一方、（ａ）図に示す第２開閉ドア１０６を閉じた状態では、第１凹部１１４の上部を第２開閉ドア１０６で覆うことができるので、その外観を凹凸のないすっきりした形態にすることができる。
【００７７】
次に、図１２を参照して、サブ外部端子部１４ａの近傍の構造を説明する。図１２はサブ外部端子部１４ａの近傍の外観図であり、（ａ）図が第３開閉ドア１０９を開いた状態の外観図、（ｂ）図が第３開閉ドア１０９を閉じた状態の外観図である。
【００７８】
この実施の形態では、第３開閉ドア１０９の内側に第２凹部１１５を形成し、この第２凹部１１５の後方の壁面に複数の端子部からなるサブ外部端子部１４ａを設けている。また、第３開閉ドア１０９は後方を回転軸として、その前方を開放することができる。したがって、（ａ）図に示す第３開閉ドア１０９を開いた状態では、サブ外部端子部１４ａに対してコネクタを着脱することができる。第２凹部１１５は、サブ外部端子部１４ａにコネクタを接続し、かつこの接続状態が第２凹部１１５内に収まる大きさを備えている。
【００７９】
一方、（ａ）図に示す第３開閉ドア１０９を閉じた状態では、第２凹部１１５の側面壁に開口部１１５ａが形成されているので、第３開閉ドア１０９を閉めた状態でも開口部１１５ａを介してコネクタの接続コードを引き回すことができる。したがって、第２凹部１１５の上部を第３開閉ドア１０９で覆うことができるので、その外観を凹凸のないすっきりした形態にすることができる。しかも、コネクタの接続コードは筐体１００の側面に引き出されるので、接続コードが表面に現れて美感を損ねることが軽減される。
【００８０】
次に、図１３から図１７を参照して、このＤＶＤレコーダの多様な設置状態を説明する。
【００８１】
先ず、図１３を参照して、テレビ台に設置した状態を説明する。図１３は、テレビ台に設置した状態図である。図１３において、最近のテレビは薄型が主流となっている。このような大型の薄型テレビの場合、通常の箱型のラックではなく、開放されたテレビ台となっている。例えば、図１３に示す実施形態では、薄型テレビを一対の支柱２００で両側から支持し、この支柱２００の中間位置にガラスなどの透明部材で形成されるテーブル２１０を設け、このテーブル２１０にＤＶＤレコーダ（筺体１００）を設置する構造を備えている。このようなテレビの場合、テーブル２１０に設置されるＤＶＤレコーダは、外観全体が丸見えの状態と成る。特に、筐体１００の上面前部は使用者に一番よく見られる部分となる。
【００８２】
本実施の形態にかかるＤＶＤレコーダは、使用者が一番良く見られる部分、即ち、上部の傾斜面１０２に機能部分を集中配置しているので、視認性や操作性が向上するばかりでなく、意匠性も向上させることができる。
【００８３】
次に、図１４を参照して、同種のＤＶＤレコーダを上下に積層配置した設置例を説明する。図１４は２台のＤＶＤレコーダを積層配置した状態を示している。図１４において、前記したように、この実施の形態では、筐体１００の後部は箱型であり、その前部は上部の傾斜面１０２と下部傾斜面１１３を介して先が尖った形状を備えている。したがって、このような筐体１００を備えたＤＶＤレコーダを上下に積層配置しても、下方のＤＶＤレコーダの上部の傾斜面１０２は、前傾斜の傾斜面であるとともに、その上部に積層されるＤＶＤレコーダの下部傾斜面１１３は前方に立ち上がった傾斜面であるため、下方のＤＶＤレコーダの上部の傾斜面１０２が上部のＤＶＤレコーダによって視認性や操作性を損なうことを軽減することができる。
【００８４】
次に、図１５、図１６を参照して、筐体の背面を床面に設置する縦姿勢の設置状態を説明する。図１５、図１６は背面を床面に設置した説明図であり、（ａ）図が全体の外観図、（ｂ）図が脚部の外観図である。
【００８５】
図１５において、この実施の形態では、表示部２１を操作して、表示部２１の表示内容を上下反転させることができる。このように表示部２１を切り替えることにより、（ａ）図に示すように、筐体１００の背面を床面と設置する縦置きの姿勢で設置することができる。
【００８６】
この設置姿勢では、背面を直接床面に設置できないので、脚部１５０を使用する。この脚部１５０は、筐体１００の背面の大きさより一回り大きな上面形状を備えた台形状であり、四隅に筐体１００を支持する支持部１５１を備えている。支持部１５１は中段に、筐体支持部１５２を備え、筐体１００を支持した状態で、四辺方向に隙間１５３が形成するようになっている。この構造によれば、（ａ）図に示す状態で設置しても、配線を背面側または両サイド方向に引き出すことができるとともに、排気を前記隙間１５３を介して排気することができる。
【００８７】
また、図１６は、筐体１００の長辺側に隙間１５３を形成する脚部１６０を採用した実施例である。この実施例に係る脚部１６０は、長手方向の両側に支持部１５１を備えることで、背面側にコードを引き出したり排気することができる。
【００８８】
次に、図１７を参照して、筐体１００の側面を床面に設置する縦姿勢の設置状態を説明する。図１７は筐体の側面を床面に設置した設置状態図である。この実施の形態では、筐体１００の側面に吸気口を備えていないので、別体の脚部１７０を側面に取り付けることで、最小の設置スペースで設置することができる。脚部１７０は、（ａ）図に示すように、ネジなどを介して筐体１００の側面に取り付けるものや、（ｂ）図に示すように、筐体１００の両側を挟みつけるタイプの脚部を採用しても良い。
【００８９】
このような設置姿勢であれば、（ｃ）図に示すように、筐体１００の底面側を壁面や机の側壁に近接する姿勢で設置することができるので、設置スペースが最小限で、しかも、任意の位置に設置することができる。
【００９０】
なお、図１４に示す積層する姿勢を、図１７のように設置することもできる。このような設置姿勢でも、図１４と同様な作用効果を得ることができる。
【産業上の利用可能性】
【００９１】
この発明に係る情報再生装置は、トレーを介してディスクを着脱することで、映像情報や音楽情報、更には各種のデータを取り扱う各種装置に適用することができる。
【図面の簡単な説明】
【００９２】
【図１】この発明の実施の形態に係るＤＶＤレコーダの外観図である。
【図２】ＤＶＤレコーダの内部装置の配置図である。
【図３】ＤＶＤレコーダの外観図である。
【図４】ＤＶＤレコーダの冷却構造の説明図である。
【図５】ＤＶＤレコーダの冷気通路の説明図である。
【図６】トレーの移動路を示めす概略断面図である。
【図７】開閉ドア駆動装置の概略構造図である。
【図８】開閉ドア駆動装置の動作工程を示す工程図である。
【図９】トレーを引き出す動作フロー図である。
【図１０】トレーを収納する動作フロー図である。
【図１１】サブ記録再生装置の近傍の外観図である。
【図１２】サブ外部端子部の近傍の外観図である。
【図１３】ＤＶＤレコーダの設置状態図である。
【図１４】ＤＶＤレコーダの設置状態図である。
【図１５】ＤＶＤレコーダの設置状態図である。
【図１６】ＤＶＤレコーダの設置状態図である。
【図１７】ＤＶＤレコーダの設置状態図である。
【符号の説明】
【００９３】
１０…メイン基板、１１…メイン外部端子基板、１１ａ…メイン外部接続端子部、１２…電源部、１３…サブ記憶装置取付板、１４…サブ外部端子基板、１４ａ…サブ外部端子部、１５…通風穴、２０…操作基板、２０ａ…第１操作基板、２０ｂ…第２操作基板、２０ｃ…第３操作基板、２１…表示部、２１ａ…第１表示部、２１ｂ…第２表示部、２２…操作部、２２ａ…第１操作部、２２ｂ…第２操作部、３０…ディスク記録再生装置、３１…トレー、４０…内部記録再生装置、４０ａ…第１内部記録再生装置、４０ｂ…第２内部記録再生装置、４１…サブ記録再生装置、４１ａ…第１サブ記録再生装置、４１ｂ…第２サブ記録再生装置、５０…送風ファン、６０…開閉ドア駆動装置、６１…駆動モータ、６２…開センサ、６３…閉センサ、６４…変速部、６５…回転軸支持部、６６…半円形状の歯車、６７…歯車、１００…筐体、１０１…筐体上面、１０２…傾斜面、１０３…第１開閉ドア、１０４…第１操作パネル、１０５…第１表示パネル、１０６…第２開閉ドア１、０７…第２操作パネル、１０８…第２表示パネル、１０９…第３開閉ドア、１１１…ディスク出入口、１１１ａ…隙間、１１２…吸気口、１１３…下部傾斜面、１１４…第１凹部、１１５…第２凹部、１１５ａ…開口部、１１６…排気口、１１７…脚部、１１８…透明部材、１１９…開口部、１１９ａ…後端部、２００…支柱、２１０…テーブルＨ０…高さ方向の寸法、Ｄ０…奥行き方向の寸法、Ｗ０…横幅方向の寸法、Ｐ…回転軸、θ…傾斜角度。
【図１】
2007095174.tif 000003
【図２】
2007095174.tif 000004
【図３】
2007095174.tif 000005
【図４】
2007095174.tif 000006
【図５】
2007095174.tif 000007
【図６】
2007095174.tif 000008
【図７】
2007095174.tif 000009
【図８】
2007095174.tif 000010
【図９】
2007095174.tif 000011
【図１０】
2007095174.tif 000012
【図１１】
2007095174.tif 000013
【図１２】
2007095174.tif 000014
【図１３】
2007095174.tif 000015
【図１４】
2007095174.tif 000016
【図１５】
2007095174.tif 000017
【図１６】
2007095174.tif 000018
【図１７】
2007095174.tif 000019